(57)【要約】      （修正有）【課題】飲み口の先端部に丸みを持たせる事により、高齢者や乳幼児等の子供達が誤って唇等の身体に突き当ててけがを負うおそれをなくした安全ストローを提供する。【解決手段】１本のストロー本体３の飲み口先端部５を切らずに熱や圧力を与えて拡げながら裏返すような具合で、同先端部５の外側下部数センチの位置まで伸ばして端部６を丸め又は当該位置面に固定する。これにより、飲料用ストローの先端部を滑らかな曲面状（丸み）に形成して、高齢者や乳幼児等が誤って唇等の身体に突き当てたり口内やのどの奥まで突き刺す等して大けがを負わないようにする。また、上記の飲み口先端部５を飲み口部だけの専用タイプとし、既存のストロー本体３にそのまま被せる方法としても良い。【選択図】図１
0003167202.tif 000002
【実用新案登録請求の範囲】
【請求項１】
飲料用ストローの飲み口先端部において、例えばプラスチックで円筒状の当該先端部を熱や圧力を加えて拡張し、そのまま当該先端部の外側下部に裏返す又は折り返す又は折り曲げるような具合で伸ばしつつその端部を丸め又は固定させ、又は他のストロー材を当該飲み口部に一以上重ね合わせ又は組み合わせ、又は加熱した当該先端部を一方向に押し込んで厚みを増すことで、当該先端部を滑らかな曲面状（丸み）でソフトな感触を持つように形成する。そのとき、それらを１本のストロー材で形成し又は飲み口部専用に形成し又は飲み口部で交換できるよう形成し又は既存ストローに応用できるよう形成しつつ、高齢者や子供達にソフトな感触で安全に使用できるようにしたことを特徴とする安全ソフトストロー。
【請求項２】
請求項１で、例えばプラスチックで円筒状の当該先端部を熱や圧力を加えて拡張し、そのまま当該先端部の外側下部に裏返す又は折り返す又は折り曲げるような具合で伸ばしつつその端部を丸め又は固定させて、当該先端部を滑らかな曲面状（丸み）でソフトな感触を持つように形成したことを特徴とする請求項１記載の安全ソフトストロー。
【請求項３】
請求項１で、他のストロー材を当該飲み口部に一以上重ね合わせ又は組み合わせて当該先端部を滑らかな曲面状（丸み）でソフトな感触を持つように形成したことを特徴とする請求項１記載の安全ソフトストロー。
【請求項４】
請求項１で、加熱した当該先端部を一方向に押し込んで厚みを増すことで、当該先端部を滑らかな曲面状（丸み）でソフトな感触を持つように形成したことを特徴とする請求項１記載の安全ソフトストロー。
【請求項５】
請求項１、２、３及び４の飲料用ストローの飲み口先端部を、１本のストロー材で形成し又は飲み口部専用に形成し又は飲み口部で交換できるよう形成し又は既存ストローに応用できるよう形成したことを特徴とする請求項１記載の安全ソフトストロー。
【請求項６】
請求項１及び５で、飲み口部専用に形成し又は飲み口部で交換できるよう形成し又は既存ストローに応用できるよう形成する場合、それらの形状（例えば円筒状の径）を変えるだけでなく、それらの上下部の形状（例えば径）に差を設け又は変化を持たせて飲み口部で交換しやすくしたことを特徴とする請求項１記載の安全ソフトストロー。
【考案の詳細な説明】
【技術分野】
【０００１】  本考案は、飲料用ストローの飲み口先端部において、例えばプラスチック製で円筒状の当該先端部を熱や圧力を加えて拡張し、そのまま当該先端部の外側下部に裏返す又は折り返す又は折り曲げるような具合で伸ばしつつその端部を丸め又は固定させる等により、当該先端部を滑らかな曲面状（丸み）でソフトな感触を持つように形成する。そのとき、それらを１本のストロー材で形成し又は飲み口部専用に形成し又は飲み口部で交換できるよう形成し又は既存ストローに応用できるよう形成しつつ、高齢者や子供達にソフトな感触で安全に使用できるようにした安全ソフトストローに関する。
【背景技術】
【０００２】  ストローはコップ等容器の飲料を飲むための中空で細長い筒状の道具で、多くがプラスチック製で、それを入れたコップ等容器に直接口をつけずに飲料を飲むことができる。【０００３】  その形状や種類には、ストロー中間部が蛇腹構造で伸縮自在のもの、二本の直径の異なるストローを二重にして伸縮自由としたもの、多色彩なカラーストロー等がある。【０００４】  また、ストローの飲み口先端部に丸みを持たせたものでは、当該先端部を内側にわずかに丸めただけのストローが一部で市販されているが、薄くて硬い鋭利性は完全に解決されていない。【０００５】  すなわち、飲み口先端部は、多くが切断されたままの薄くて硬い鋭利性をもつ板状となっているため、高齢者や幼児等の子供達が誤って唇等の身体に突き当ててけがを負うおそれがある。【０００６】  文献１は、上記の伸縮ストロータイプで、内ストローが外ストローの内側に納まって出し入れ自由な状態としているが、これも機能性を求めたもので、飲み口先端部は薄くて硬い鋭利性をもつ板状である。【０００７】  文献２は、ストローの飲み口先端部を半球状として中空状態をすべて塞ぎ、その後に当該先端部の中央部分から四方に切れ目をいれた形状で、目的は飲み口の安全対策ではあるが、切れ目部分自体が薄くて硬い鋭利性を持つ板状は何ら変わっていない。【０００８】
【文献１】
特許公開２００９ー１６０２５１
【文献２】
登録実用新案第３００８４０２号
【考案の開示】
【考案が解決しようとする課題】
【０００９】  従来のストローは、上記のとおり、飲み口先端部の形状は多くが切断された状態で、かつ薄くて硬い鋭利性をもつ板状となっているため、高齢者や乳幼児等の子供達が誤って唇等の身体に突き当ててけがを負うおそれがある。【００１０】  特に、乳幼児は自らの口内に物品を飲み込む習性があり、また自身の力加減等を全く知らないために、その飲み口先端部で口内だけでなくのどの奥まで突き刺す等して大けがを負うおそれがある。【００１１】  一方、従来のストローは、飲み口先端部の形状を薄くて硬い鋭利性をもつ板状としているため、唇で挟む感触が弱く、また唇で挟む力加減にも微妙な調整が必要となって弾力性の持つソフトな感触の良さが感じられない。
【課題を解決するための手段】
【００１２】  本考案は、まず飲料用ストローの飲み口先端部において、例えばプラスチックで円筒状の当該先端部に熱や圧力を加えて拡張し、当該先端部の外側下部方向に裏返すように又は折り返すように又は折り曲げるようにして伸ばす。【００１３】  このとき、ひねりを加えても良い。そして、その端部を小さく丸め又は幾重かに丸め、又は当該先端部の外側下部面に固定させて当該先端部を滑らかな曲面状（丸み）でソフトな感触を持つように形成する。なお、固定にはこだわらない。【００１４】  また、他のストロー材を飲み口先端部で一以上重ね合わせ又は組み合わせて接合する等して、当該先端部を滑らかな曲面状（丸み）でソフトな感触を持つように形成する。これは、薄くて硬い鋭利性を排除しようとするものである。【００１５】  さらに、ストロー先端部を加熱して柔らかくしたまま一方向に押し込むことで、柔らかな部分が圧縮されて重なり先端部厚みを増すように形成することで、連続した滑らかな曲面状（丸み）が確保される。
【考案の効果】
【００１６】  本考案の効果は、上記課題を解決して高齢者や乳幼児等が安心かつ安全に使用できるストローを提供し、使用者に弾力性のあるソフトな感触の良さを提供したことである。【００１７】  すなわち、飲料用ストローの先端部を滑らかな曲面状（丸み）に形成して、高齢者や乳幼児等が誤って唇等の身体に突き当てたり口内やのどの奥まで突き刺す等して大けがを負わないようにしたこと。【００１８】  また、当該先端部を滑らかな曲面状（丸み）でソフトな感触を持つように形成して、使用者の唇で挟む感触や唇で挟む力加減への微妙な調整を不要とし、かつ弾力性の持つソフトな感触の良さを得られるようにしたことである。
【考案を実施するための最良の形態】
【００１９】  本考案について、図１から図３の実施例に基づいて説明する。ただし、本考案はこれらに限るものではなく、作図も主要な構成物のみとする。【００２０】  図１は本考案の実施例（１）を示す断面図で、１本のストロー本体３の飲み口先端部５を切らずに熱や圧力を与えて拡げながら裏返すような具合で、同先端部５の外側下部数センチの位置まで伸ばして端部６を丸め又は当該位置面に固定する。【００２１】  図２は、本考案の実施例（２）を示す断面図で、飲み口部４の専用タイプであり、上記同様に形成して既存のストロー本体３にそのまま被せる方法としている。なお、当該タイプでは、上下部に差を付けてストロー本体３に被せやすくしても良い。【００２２】  図３は、上記実施例（１）を示す部分斜視図で、飲み口部４の外側に膨らむ裏返し部７（折り返し等含む。以下略）を理解し易くした。なお、膨らみの程度や形状に制限はない。【００２３】  また、飲み口部５で膨らむ裏返し部７を渦巻き状に形成し、ストロー本体３に熱等を与えて拡張しながら飲み口先端部５の外側下部まで伸ばす際にひねりを加えて渦巻き状の裏返し部８としても良い。
【図面の簡単な説明】
【００２４】
【図１】本考案の実施例（１）を示す断面図。
【図２】本考案の実施例（２）を示す断面図。
【図３】本考案の実施例（１）を示す部分斜視図。
【符号の説明】
【００２５】１    安全ソフトストロー（１本のストロー用に形成）
２    安全ソフトストロー（飲み口部用に形成）
３    ストロー本体
４    飲み口部
５    飲み口先端部
６    端部
７    裏返し部
８    裏返し部（渦巻き状）
【図１】
0003167202.tif 000003
【図２】
0003167202.tif 000004
【図３】
0003167202.tif 000005
【手続補正書】
【提出日】平成23年1月20日(2011.1.20)
【手続補正１】
【補正対象書類名】実用新案登録請求の範囲
【補正対象項目名】全文
【補正方法】変更
【補正の内容】
【実用新案登録請求の範囲】
【請求項１】
飲料用ストローの飲み口先端部において、円筒状の当該先端部を熱や圧力を加えて拡張し、そのまま当該先端部の外側下部に裏返す又は折り返す又は伸ばしつつその端部を丸め又は固定させ、又は加熱した当該先端部を一方向に押し込んで厚みを増すことで、当該先端部を滑らかな曲面状となるよう形成し、そのとき、前記ストローを１本のストロー材で形成し又は、前記ストローの円筒状の径を変えるだけでなく、ストローの上下部の径に差を設け又は変化を持たせて飲み口部で交換できるよう形成し、高齢者や子供達にソフトな感触で安全に使用できるようにしたことを特徴とする安全ソフトストロー。
【請求項２】
前記円筒状の当該先端部を熱や圧力を加えて拡張し、そのまま当該先端部の外側下部に裏返す又は折り返す又は伸ばしつつその端部を丸め又は固定させ、又は加熱した当該先端部を一方向に押し込んで厚みを増すこととしたことを特徴とする請求項１記載の安全ソフトストロー。
【請求項３】
前記円筒状の当該先端部を熱や圧力を加えて拡張し、そのまま当該先端部の外側下部に裏返す又は折り返す又は伸ばしつつその端部を丸め又は固定させ、又は加熱した当該先端部を一方向に押し込んで厚みを増すことで、当該先端部を滑らかな曲面状となるよう形成したことを特徴とする請求項１記載の安全ソフトストロー。
【請求項４】
前記円筒状の当該先端部を滑らかな曲面状となるよう形成し、そのとき、前記ストローを１本のストロー材で形成し又は、前記ストローの円筒状の径を変えたことを特徴とする請求項１記載の安全ソフトストロー。
【請求項５】
前記円筒状の当該先端部を滑らかな曲面状となるよう形成し、そのとき、前記ストローを１本のストロー材で形成し又は、前記ストローの円筒状の径を変えるだけでなく、ストローの上下部の径に差を設け又は変化を持たせて飲み口部で交換できるよう形成したことを特徴とする請求項１記載の安全ソフトストロー。
【手続補正２】
【補正対象書類名】明細書
【補正対象項目名】０００１
【補正方法】変更
【補正の内容】
【０００１】  本考案は、飲料用ストローの飲み口先端部において、円筒状の当該先端部を熱や圧力を加えて拡張し、そのまま当該先端部の外側下部に裏返す又は折り返す又は伸ばしつつその端部を丸め又は固定させ、又は加熱した当該先端部を一方向に押し込んで厚みを増すことで、当該先端部を滑らかな曲面状となるよう形成し、そのとき、前記ストローを１本のストロー材で形成し又は、前記ストローの円筒状の径を変えるだけでなく、ストローの上下部の径に差を設け又は変化を持たせて飲み口部で交換できるよう形成し、高齢者や子供達にソフトな感触で安全に使用できるようにした安全ソフトストローに関する。
【手続補正３】
【補正対象書類名】明細書
【補正対象項目名】００１２
【補正方法】変更
【補正の内容】
【００１２】  本考案は、まず飲料用ストローの飲み口先端部において、円筒状の当該先端部に熱や圧力を加えて拡張し、当該先端部の外側下部方向に裏返す又は折り返す又は伸ばす。
【手続補正４】
【補正対象書類名】明細書
【補正対象項目名】００２０
【補正方法】変更
【補正の内容】
【００２０】  図１は本考案の実施例（１）を示す断面図で、１本のストロー本体３の飲み口先端部５を切らずに熱や圧力を与えて拡げながら裏返し又は折り返し、同先端部５の外側下部数センチの位置まで伸ばして端部６を丸め又は当該位置面に固定する。
【手続補正５】
【補正対象書類名】明細書
【補正対象項目名】００２１
【補正方法】変更
【補正の内容】
【００２１】  図２は、本考案の実施例（２）を示す断面図で、飲み口部４の専用タイプで、上記同様に形成しつつ全体の長さは約２〜３センチ程度を目安とする。なお、上下部に径の差を設けて良い。